(57)【特許請求の範囲】
【請求項１】
周波数データに応じて設定される周波数で互いに９０度の位相差を有する２つの周波数信号を出力する周波数信号生成手段と、第１と第２の平衡変調手段と、前記周波数データに応じて切り換えて前記２つの周波数信号を１つづつ前記第１と第２の平衡変調手段にそれぞれ与える切換手段と、互いに９０度の位相差を有する２つの局部発振周波数信号を出力して１つづつ前記第１と第２の平衡変調手段に与える局部発振手段と、前記第１と第２の平衡変調手段の出力を加算または減算して出力帯域信号を出力する演算手段と、を備えて構成したことを特徴とする周波数シンセサイザ装置。
【請求項２】
周波数データに応じて設定される周波数で互いに９０度の位相差を有する２つの周波数信号を出力する周波数信号生成手段と、前記２つの周波数信号が１つづつ与えられる第１と第２の平衡変調手段と、互いに９０度の位相差を有する２つの局部発振周波数信号を出力する局部発振手段と、前記周波数データに応じて切り換えて前記２つの局部発振周波数信号を１つづつ前記第１と第２の平衡変調手段にそれぞれ与える切換手段と、前記第１と第２の平衡変調手段の出力を加算または減算して出力帯域信号を出力する演算手段と、を備えて構成したことを特徴とする周波数シンセサイザ装置。
【請求項３】
周波数データに応じて設定される周波数で互いに９０度の位相差を有する２つの周波数信号を出力する周波数信号生成手段と、前記２つの周波数信号が１つづつそれぞれ与えられる第１と第２の平衡変調手段と、互いに９０度の位相差を有する２つの局部発振周波数信号を出力して１つづつ前記第１と第２の平衡変調手段に与える局部発振手段と、前記周波数データに応じて加算と減算を切り換えて前記第１と第２の平衡変調手段の出力を演算して出力帯域信号を出力する演算切換手段と、を備えて構成したことを特徴とする周波数シンセサイザ装置。
【請求項４】
請求項１または２記載の周波数シンセサイザ装置において、前記周波数データが与えられる周波数データ変換手段を備え、この周波数データ変換手段により、前記周波数データに応じた周波数設定データを前記周波数信号生成手段に与えるとともに切換制御データを前記切換手段に与えるように構成したことを特徴とする周波数シンセサイザ装置。
【請求項５】
請求項３記載の周波数シンセサイザ装置において、前記周波数データが与えられる周波数データ変換手段を備え、この周波数データ変換手段により、前記周波数データに応じた周波数設定データを前記周波数信号生成手段に与えるとともに演算切換制御データを前記演算切換手段に与えるように構成したことを特徴とする周波数シンセサイザ装置。
【請求項６】
請求項１または２記載の周波数シンセサイザ装置において、前記周波数データは周波数設定データと切換制御データとからなり、前記周波数信号生成手段は前記周波数設定データに応じて前記周波数信号を出力し、前記切換手段は前記切換制御データに応じて接続状態を切換制御するように構成したことを特徴とする周波数シンセサイザ装置。
【請求項７】
請求項３記載の周波数シンセサイザ装置において、前記周波数データは周波数設定データと演算切換制御データとからなり、前記周波数信号生成手段は前記周波数設定データに応じた周波数信号を出力し、前記演算切換手段は前記演算切換制御データに応じて演算状態を切換制御するように構成したことを特徴とする周波数シンセサイザ装置。
【請求項８】
請求項１ないし７記載のいずれかの周波数シンセサイザ装置において、ホッピングパターンコードを順次発生する周波数ホッピングパターン発生手段を備え、前記周波数データが前記ホッピングパターンコードに基づいて生成されることを特徴とする周波数シンセサイザ装置。
【請求項９】
請求項１ないし８記載のいずれかの周波数シンセサイザ装置において、前記周波数信号生成手段を２相ダイレクトデジタルシンセサイザを備えて構成したことを特徴とする周波数シンセサイザ装置。
【発明の詳細な説明】
【０００１】
【発明の属する技術分野】
本発明は、比較的に低い周波数の周波数信号をより高い周波数の出力帯域信号に周波数変換するとともにその帯域幅を拡大でき、しかも拡大された帯域幅の出力帯域信号を高速で切り換えるのに好適な周波数シンセサイザ装置に係わるものであり、特に周波数ホッピングスペクトラム拡散通信方式に用いるのに好適な周波数シンセサイザ装置に関するものである。
【０００２】
【従来の技術】
周波数ホッピングスペクトラム拡散通信方式においては、各種ホッピングパターンに従って周波数を高速で切り換えることができる周波数シンセサイザ装置を必要とする。従来より、フェーズ・ロックド・ループ（ＰＬＬ）シンセサイザが用いられた装置が、周波数を切り換える装置として汎用されている。しかし、このＰＬＬ方式は、ループフィルタの応答性が遅く、充分に早い切り換え時間を得ることは困難である。そこで、周波数を高速で切り換えることの可能なダイレクトデジタルシンセサイザ（ＤＤＳ）を用いることが提案されているが、このダイレクトデジタルシンセサイザは比較的に低い周波数しか出力できず、より高い周波数が要求される場合はこのダイレクトデジタルシンセサイザの出力周波数をさらに高い周波数に周波数変換して所望の周波数を得る必要があった。
この低い周波数の基底帯域信号を高い周波数の高周波帯域信号に周波数変換する従来の周波数変換装置の一例を図５に示す。図５は、従来の周波数変換装置の一例のブロック回路図である。図５において、基底帯域信号生成手段としての２相ダイレクトデジタルシンセサイザ１０から同一周波数で互いに９０度の位相差を有する２つの基底帯域信号が出力される。この２相ダイレクトデジタルシンセサイザ１０には、周波数データ生成手段１１から出力される周波数データが与えられ、これに応じて出力周波数が設定される。この周波数データ生成手段１１は、周波数ホッピングパターン発生手段１２から出力されるホッピングパターンコードに基づき対応する周波数データを生成して順次出力するように構成されている。そして、２相ダイレクトデジタルシンセサイザ１０の２つの基底帯域信号が、１つづつ第１の平衡変調手段１４と第２の平衡変調手段１６にそれぞれ与えられる。また、高周波発振器１８から出力される高周波信号が２つに分岐され、その一方がそのまま第１の平衡変調手段１４に与えられ、他方が９０度移相器２０で９０度だけその位相が移動されて第２の平衡変調手段１６に与えられる。ここで、高周波発振器１８と９０度移相器２０により、同一周波数で互いに９０度の位相差を有する２つの局部発振周波数信号を出力する局部発振手段２２が形成されている。そして、第１の平衡変調手段１４と第２の平衡変調手段１６の出力が、演算手段としての加算手段２４により加算されて、高周波帯域信号が出力される。
【０００３】
かかる構成の周波数変換装置の動作につき説明する。まず、２相ダイレクトデジタルシンセサイザ１０の２つの９０度の位相差を有する基底帯域信号を
ａ・ｓｉｎωｔとａ・ｃｏｓωｔとし、
２つの９０度の位相差を有する局部発振周波数信号を
ｂ・ｃｏｓωｃｔとｂ・ｓｉｎωｃｔとすれば、
第１の平衡変調手段１４の出力は、
ａｂ・ｓｉｎωｔ・ｃｏｓωｃｔであり、
第２の平衡変調手段１６の出力は、
ａｂ・ｃｏｓωｔ・ｓｉｎωｃｔである。
そして、これらの第１の平衡変調手段１４と第２の平衡変調手段１６の出力を加算すれば、その演算出力は、
ａｂ・ｓｉｎ（ωｃ＋ω）ｔとなる。
したがって、基底帯域信号が局部発振周波数信号の周波数だけ高い高周波帯域信号に周波数変換される。
【０００４】
ところで、基底帯域信号はその周波数がホッピングパターンコードに応じて順次に切り換えられるが、２相ダイレクトデジタルシンセサイザ１０は高速で切り換えてもその周波数は比較的に安定したものである。また、局部発振周波数信号はその周波数は切り換えられずに一定であって安定している。そこで、図５に示す周波数変換装置を用いることで、周波数の切換を高速でできしかも安定した高周波帯域信号が得られる。
【０００５】
【発明が解決しようとする課題】
図５に示す従来の周波数変換装置は、上述のごとく、基底帯域信号を局部発振周波数信号の周波数だけ高い高周波帯域信号に周波数変換するものにすぎない。そこで、図６に示すごとく、基底帯域信号の周波数が切換設定され得る帯域幅がｗであれば、周波数変換された高周波帯域信号の帯域幅もｗである。このために、２相ダイレクトデジタルシンセサイザ１０の帯域幅ｗ以上に広い帯域幅の高周波帯域信号を得ることはできない。
【０００６】
ところで、２相ダイレクトデジタルシンセサイザ１０は、サンプリング周波数および演算速度などに制約されるために、任意に高い周波数の信号を出力することができない。そこで、出力周波数が切換設定できる帯域幅を充分に拡大することができない。一方、近年の周波数ホッピングスペクトラム拡散通信方式にあっては、出力周波数の帯域幅がより広くかつ高速で安定して切り換えることができる高い周波数の出力信号が必要とされている。このために、図５に示す従来の周波数変換装置では、高速で安定して切り換えられるが、その出力周波数の帯域幅が充分に得られず、近年の周波数ホッピングスペクトラム拡散通信方式には用いることができないものであった。
【０００７】
本発明は、上述のごとき従来技術の事情に鑑みてなされたもので、周波数信号の帯域幅の２倍の帯域幅で出力帯域信号を得ることができるようにした周波数シンセサイザ装置を提供することを目的とする。
【０００８】
【課題を解決するための手段】
かかる目的を達成するために、本発明の周波数シンセサイザ装置は、周波数データに応じて設定される周波数で互いに９０度の位相差を有する２つの周波数信号を出力する周波数信号生成手段と、第１と第２の平衡変調手段と、前記周波数データに応じて切り換えて前記２つの周波数信号を１つづつ前記第１と第２の平衡変調手段にそれぞれ与える切換手段と、互いに９０度の位相差を有する２つの局部発振周波数信号を出力して１つづつ前記第１と第２の平衡変調手段に与える局部発振手段と、前記第１と第２の平衡変調手段の出力を加算または減算して出力帯域信号を出力する演算手段と、を備えて構成されている。
【０００９】
また、周波数データに応じて設定される周波数で互いに９０度の位相差を有する２つの周波数信号を出力する周波数信号生成手段と、前記２つの周波数信号が１つづつ与えられる第１と第２の平衡変調手段と、互いに９０度の位相差を有する２つの局部発振周波数信号を出力する局部発振手段と、前記周波数データに応じて切り換えて前記２つの局部発振周波数信号を１つづつ前記第１と第２の平衡変調手段にそれぞれ与える切換手段と、前記第１と第２の平衡変調手段の出力を加算または減算して出力帯域信号を出力する演算手段と、を備えて構成することもできる。
【００１０】
また、周波数データに応じて設定される周波数で互いに９０度の位相差を有する２つの周波数信号を出力する周波数信号生成手段と、前記２つの周波数信号が１つづつそれぞれ与えられる第１と第２の平衡変調手段と、互いに９０度の位相差を有する２つの局部発振周波数信号を出力して１つづつ前記第１と第２の平衡変調手段に与える局部発振手段と、前記周波数データに応じて加算と減算を切り換えて前記第１と第２の平衡変調手段の出力を演算して出力帯域信号を出力する演算切換手段と、を備えて構成しても良い。
【００１１】
そして、前記周波数データが与えられる周波数データ変換手段を備え、この周波数データ変換手段により、前記周波数データに応じた周波数設定データを前記周波数信号生成手段に与えるとともに切換制御データを前記切換手段に与えるように構成することもできる。
【００１２】
そして、前記周波数データが与えられる周波数データ変換手段を備え、この周波数データ変換手段により、前記周波数データに応じた周波数設定データを前記周波数信号生成手段に与えるとともに演算切換制御データを前記演算切換手段に与えるように構成することもできる。
【００１３】
また、前記周波数データは周波数設定データと切換制御データとからなり、前記周波数信号生成手段は前記周波数設定データに応じて前記周波数信号を出力し、前記切換手段は前記切換制御データに応じて接続状態を切換制御するように構成しても良い。
【００１４】
また、前記周波数データは周波数設定データと演算切換制御データとからなり、前記周波数信号生成手段は前記周波数設定データに応じた周波数信号を出力し、前記演算切換手段は前記演算切換制御データに応じて演算状態を切換制御するように構成しても良い。
【００１５】
そして、ホッピングパターンコードを順次発生する周波数ホッピングパターン発生手段を備え、前記周波数データが前記ホッピングパターンコードに基づいて生成されても良い。
【００１６】
そして、前記周波数信号生成手段を２相ダイレクトデジタルシンセサイザを備えて構成しても良い。
【００１７】
【発明の実施の形態】
以下、本発明の第１実施例を図１および図２を参照して説明する。図１は、本発明の周波数シンセサイザ装置の第１実施例のブロック回路図である。図２は、第１実施例において出力帯域信号の帯域幅が周波数信号の帯域幅の２倍得られることを説明する図である。図１において、図５と同一部材には同じ符号を付けて重複する説明を省略する。
【００１８】
図１において、図５と相違する点は、２相ダイレクトデジタルシンセサイザ１０から出力される互いに９０度の位相差を有する２つの周波数信号が、切換手段３０を介して１つづつ第１の平衡変調手段１４と第２の平衡変調手段１６にそれぞれ与えられることと、周波数データ生成手段３３から出力される周波数データが周波数データ変換手段３４に与えられ、この周波数データ変換手段３４から周波数データに応じた周波数設定データが２相ダイレクトデジタルシンセサイザ１０に与えられるとともに、周波数データに応じた切換制御データが切換手段３０に与えられることにある。そして、周波数設定データにより２相ダイレクトデジタルシンセサイザ１０は出力周波数が切り換えられ、また切換制御データにより切換手段３０の接続状態が切換制御されて、２つの周波数信号が第１の平衡変調手段１４と第２の平衡変調手段１６にそれぞれ与えられる。この周波数データ生成手段３３は、周波数ホッピングパターン発生手段３２から出力されるホッピングパターンコードに基づいて周波数データを生成して出力するように構成されている。より具体的にその一例を説明するならば、周波数データ生成手段３３における図示しない適宜なメモリにホッピングさせる周波数のデータが予め記憶されており、ホッピングパターンコードに基づいて対応する周波数データを読み出して順次出力するように構成されている。なお、周波数データ生成手段３３は、ホッピングパターンコードに基づき対応する周波数データを生成して順次出力できるならば、その構成はいかなるものであっても良い。
【００１９】
ここで、周波数ホッピングパターン発生手段３２から出力されるホッピングパターンコードに基づいて生成される周波数データは、２相ダイレクトデジタルシンセサイザ１０で出力できる帯域幅よりも広い帯域幅で周波数信号を設定するように構成されている。そこで、周波数データ変換手段３４は、図示しない適宜なメモリに予め記憶されたデータテーブルなどを参照して、与えられた周波数データに対応させて、２相ダイレクトデジタルシンセサイザ１０の帯域幅内にある周波数信号を設定するための周波数設定データと、後述するごとく帯域幅を拡大するために切換手段３０の接続状態を切換制御するための切換制御データとを演算出力する。
【００２０】
かかる構成において、切換手段３０の一方の接続状態により第１の平衡変調手段１４には、
ａ・ｓｉｎωｔとｂ・ｃｏｓωｃｔが与えられ、
第２の平衡変調手段１６には、
ａ・ｃｏｓωｔとｂ・ｓｉｎωｃｔが与えられ、かかる制御状態では、加算手段２４からは、
ａｂ・ｓｉｎ（ωｃ＋ω）ｔの出力帯域信号が出力される。
また、切換手段３０が切り換えられた他方の接続状態により第１の平衡変調手段１４には、
ａ・ｃｏｓωｔとｂ・ｃｏｓωｃｔが与えられ、
第２の平衡変調手段１６には、
ａ・ｓｉｎωｔとｂ・ｓｉｎωｃｔが与えられ、かかる制御状態では、加算手段２４からは、
ａｂ・ｃｏｓ（ωｃ−ω）ｔの出力帯域信号が出力される。
この結果、切換手段３０の接続状態を適宜に切換制御することで、図２に示すごとく、周波数変換された出力帯域信号は、局部発振周波数信号を中心として、周波数信号の帯域幅ｗのアッパーサイドバンドとロウアーサイドバンドがともに得られる。そこで、出力帯域信号の帯域幅を周波数信号の帯域幅ｗの２倍に拡大することができる。しかも、２相ダイレクトデジタルシンセサイザ１０と切換手段３０を、ホッピングパターンコードに応じて高速で切り換えるならば、広い帯域幅でしかも高速切換で周波数ホッピングさせることができ、周波数ホッピングスペクトラム拡散通信方式に好適である。
【００２１】
なお、２相ダイレクトデジタルシンセサイザ１０は、出力帯域信号に対して相対的に低い周波数の周波数信号を出力すれば良く、零Ｈｚを含む帯域幅の基底帯域信号であっても、零Ｈｚを含まない帯域幅の信号であっても良く、特定の周波数に限定されるものでない。また、出力帯域信号も、２相ダイレクトデジタルシンセサイザ１０の周波数信号に対して相対的に高い周波数であれば良く、特定の高周波数などに特定されるものでない。さらに、局部発振手段２２の高周波発振器１８も、実用的に高い周波数が用いられているのでかかる名称としたに過ぎず、局部発振手段２２から出力される局部発振信号の周波数は、その用途に応じて適宜に設定されれば良い。そして、２相ダイレクトデジタルシンセサイザ１０の周波数信号が零Ｈｚを含む帯域幅であるならば、出力帯域信号は局部発振周波数信号を中心としてアッパーサイドバンドとロウアーサイドバンドが連続する周波数信号の帯域幅ｗの２倍の帯域幅が得られる。また、周波数信号が零Ｈｚを含まない帯域幅であるならば、出力帯域信号は局部発振周波数信号を中心としてアッパーサイドバンドとロウアーサイドバンドが対称に分離し、それぞれに周波数信号の帯域幅ｗと同じ帯域幅が得られ、アッパーサイドバンドとロウアーサイドバンドの各帯域幅の合計が、周波数信号の帯域幅ｗの２倍となる。
【００２２】
次に、本発明の第２実施例を図３を参照して説明する。図３は、本発明の周波数シンセサイザ装置の第２実施例のブロック回路図である。図３において、１相ダイレクトデジタルシンセサイザ４０から出力される比較的に低い周波数の周波数信号が２つに分岐され、一方がそのまま第１の平衡変調手段１４に与えられ、他方が９０度移相器４２で９０度だけその位相が移動されて第２の平衡変調手段１６に与えられる。ここで、１相ダイレクトデジタルシンセサイザ４０と９０度移相器４２により、同一周波数で互いに９０度の位相差を有する２つの周波数信号を出力する周波数信号生成手段４４が形成される。そして、１相ダイレクトデジタルシンセサイザ４０は、周波数データ生成手段４５から出力される周波数データとしての周波数設定データにより出力周波数が切換設定される。この周波数データは、周波数設定データと後述する切換制御データとからなる。また、高周波発振器４８から出力される高い周波数の信号が２つに分岐されて、一方が＋４５度移相器５０で４５度だけその位相が進められ、他方が−４５度移相器５２で４５度だけその位相が遅らされる。そこで、＋４５度移相器５０と−４５度移相器５２からは、同じ周波数で互いに９０度の位相差を有する２つの局部発振周波数信号が出力される。なお、高周波発振器４８と＋４５度移相器５０と−４５度移相器５２で局部発振手段５４が形成されている。さらに、局部発振手段５４の２つの局部発振周波数信号が切換手段５６を介して１つづつ第１の平衡変調手段１４と第２の平衡変調手段１６にそれぞれ与えられる。この切換手段５６は、周波数データ生成手段４５から出力される周波数データとしての切換制御データにより切換制御される。そして、第１の平衡変調手段１４と第２の平衡変調手段１６の出力が、演算手段としての減算手段５８により減算されて出力帯域信号が出力される。
【００２３】
ここで、第２実施例では、周波数データ生成手段４５からは、周波数データとしての周波数設定データと切換制御データが直接出力され、１相ダイレクトデジタルシンセサイザ４０と切換手段５６に与えられている。第２実施例にあっては、周波数ホッピングパターン発生手段４６から出力されるホッピングパターンコードに基づいて、周波数データ生成手段４５は直接的に周波数設定データおよび切換制御データを生成するように構成されている。より具体的にその一例を説明するならば、周波数データ生成手段４５における図示しない適宜なメモリにホッピングさせる周波数に対応する周波数設定データおよび切換制御データが予め記憶されており、ホッピングパターンコードに基づき対応する周波数設定データおよび切換制御データを読み出して順次出力するように構成されている。なお、第２実施例における周波数データ生成手段４５は、ホッピングパターンコードに基づき対応する周波数データとしての周波数設定データおよび切換制御データを直接的に生成して順次出力できるならば、その構成はいかなるものであっても良い。
【００２４】
かかる構成の第２実施例の周波数シンセサイザ装置にあっても、図１に示す第１実施例と同様に、周波数変換された出力帯域信号は、局部発振周波数信号を中心として周波数信号の帯域幅ｗのアッパーサイドバンドとロウアーサイドバンドが出力され、帯域幅が２倍に拡大される。また、周波数データ生成手段４５から出力される周波数データとしての周波数設定データおよび切換制御データによって、１相ダイレクトデジタルシンセサイザ４０と切換手段５６が直接的に制御されるので、第１実施例に比べて周波数データ変換手段３４による演算処理を必要としない分だけ迅速な制御が可能であり、高速での周波数ホッピングにより好適である。
【００２５】
さらに、本発明の第３実施例を図４を参照して説明する。図４は、本発明の周波数シンセサイザ装置の第３実施例のブロック回路図である。図４において、ＰＬＬ回路などを用いた低周波発振器６０から出力される低い周波数の周波数信号が２つに分岐され、一方が＋４５度移相器６２で４５度だけその位相が進められて第１の平衡変調手段１４に与えられ、他方が−４５度移相器６４で４５度だけその位相が遅らされて第２の平衡変調手段１６に与えられる。そして、低周波発振器６０と＋４５度移相器６２と−４５度移相器６４で周波数信号生成手段６６が形成され、＋４５度移相器６２と−４５度移相器６４からは、同じ周波数で９０度の位相差を有する２つの周波数信号が出力される。ここで、低周波発振器６０は、中央演算手段６８から出力される周波数データとしての周波数設定データにより発振周波数が切換設定される。また、高周波発振器１８と９０度移相器２０からなる局部発振手段２２から出力される互いに９０度の位相差を有する２つの局部発振周波数信号が、１つづつ第１の平衡変調手段１４と第２の平衡変調手段１６に与えられる。そして、第１の平衡変調手段１４と第２の平衡変調手段１６の出力が、加算と減算を切り換えて演算する演算切換手段７０に与えられて、出力帯域信号が出力される。この演算切換手段７０は、中央演算手段６８から出力される周波数データとしての演算切換制御データにより加算と減算の演算状態が切り換えられる。
【００２６】
なお、演算切換手段７０は、演算作用が加算と減算に切り換えられるものに限られず、加算手段と減算手段とが選択手段により適宜に選択されるように構成されたものであっても良い。また、低周波発振器６０は、その発振周波数が切換制御できれば良く、いかなる構成であっても良い。
【００２７】
かかる構成の第３実施例の周波数シンセサイザ装置にあっても、第１と第２実施例と同様に、周波数変換された出力帯域信号は、局部発振周波数信号を中心として周波数信号の帯域幅ｗのアッパーサイドバンドとロウアーサイドバンドが出力され、帯域幅の広いものとなる。
【００２８】
なお、上記実施例において、周波数信号生成手段は、互いに９０度の位相差を有する２つの周波数信号を出力できれば良く、上記実施例の構造に限られるものでない。また、局部発振手段も、互いに９０度の位相差を有する２つの局部発振周波数信号を出力できれば良く、上記実施例の構造に限られたものでない。そして、本発明の周波数シンセサイザ装置は、出力帯域信号を高速で切り換えるものに限られず、周波数信号生成手段が周波数信号の高速切換には適していないものであっても、その目的に応じて使用することができることは勿論である。また、２相ダイレクトデジタルシンセサイザおよび周波数信号生成手段の周波数信号の周波数の切換設定、および切換手段もしくは演算切換手段の切換制御は、周波数ホッピングパターン発生手段のホッピングパターンコードに基づいて行われるものや中央演算手段から出力される周波数データなどにより行われるものに限られず、出力帯域信号を設定するための周波数データに応じて適宜に切換制御されるものであればいかなる構造であっても良い。
【００２９】
【発明の効果】
以上の説明から明らかなように、本発明の周波数シンセサイザ装置は構成されているので、以下のごとき格別な効果を奏する。
【００３０】
請求項１ないし３記載のいずれの周波数シンセサイザ装置にあっても、周波数変換された出力帯域信号の帯域幅を、周波数信号の帯域幅の２倍に拡大することができる。
【００３１】
そして、請求項４または５記載の周波数シンセサイザ装置にあっては、周波数データを周波数データ変換手段で適宜に変換して周波数信号を設定する周波数設定データと切換手段の接続状態を制御する切換制御データまたは演算切換手段の演算状態を制御する演算切換制御データに変換するので、周波数データの制約が少ない。
【００３２】
また、請求項６または７記載の周波数シンセサイザ装置にあっては、周波数データとしての周波数設定データと切換制御データまたは演算切換制御データにより、直接的に周波数信号の設定と切換手段の接続状態または演算切換手段の演算状態の制御がなされるので、演算処理する必要がないぶんだけ、出力帯域信号の高速切換が可能である。
【００３３】
そして、請求項８記載の周波数シンセサイザ装置にあっては、周波数ホッピングパターン発生手段のホッピングパターンコードに基づいて生成される周波数データにより周波数信号の周波数を切換設定するとともに、切換手段もしくは演算切換手段を適宜に切り換えるので、出力帯域信号の周波数の切換を簡単に行うことができる。
【００３４】
そして、請求項９記載の周波数シンセサイザ装置にあっては、周波数信号生成手段に２相ダイレクトデジタルシンセサイザを備えるので、周波数信号の周波数を高速で切り換えるのに好適である。特に、周波数ホッピングパターン発生手段のホッピングパターンコードに基づいて生成されるを周波数データにより、周波数信号生成手段としての２相ダイレクトデジタルシンセサイザから出力される周波数信号を高速で切り換えるならば、ホッピングパターンコードに応じて出力帯域信号の周波数が高速で切り換えられるとともにその帯域幅が拡大されているので、周波数ホッピングスペクトラム拡散通信方式に用いて好適である。
【図面の簡単な説明】
【図１】本発明の周波数シンセサイザ装置の第１実施例のブロック回路図である。
【図２】本発明の周波数シンセサイザ装置の第１実施例において、出力帯域信号の帯域幅が周波数信号の帯域幅の２倍得られることを説明する図である。
【図３】本発明の周波数シンセサイザ装置の第２実施例のブロック回路図である。
【図４】本発明の周波数シンセサイザ装置の第３実施例のブロック回路図である。
【図５】従来の周波数変換装置の一例のブロック回路図である。
【図６】従来の周波数変換装置の一例において、高周波帯域信号の帯域幅が基底帯域信号の帯域幅と同じであることを説明する図である。
【符号の説明】
１０  ２相ダイレクトデジタルシンセサイザ
１１、３３、４５  周波数データ生成手段
１２、３２、４６  周波数ホッピングパターン発生手段
１４  第１の平衡変調手段
１６  第２の平衡変調手段
２２、５４  局部発振手段
２４  加算手段
３０、５６  切換手段
３４  周波数データ変換手段
４４、６６  周波数信号生成手段
５８  減算手段
６８  中央演算手段
７０  演算切換手段
【図１】
0003608765.tif 000002
【図２】
0003608765.tif 000003
【図３】
0003608765.tif 000004
【図４】
0003608765.tif 000005
【図５】
0003608765.tif 000006
【図６】
0003608765.tif 000007